(57)【特許請求の範囲】
【請求項１】
通信規格で規定された通信を行うための被試験デバイス（９０）から出力される被測定信号を該通信規格で規定されている複数のビットレートの各々に対応した周波数特性に補正する複数の周波数特性補正部（１２）を有し、前記複数の周波数特性補正部のうちいずれか１つを選択する周波数特性選択部（１１）と、当該選択された周波数特性補正部で補正された前記被測定信号のビット誤り率測定を行う誤り率測定部（１４）と、前記選択された周波数特性補正部で補正された前記被測定信号の波形測定を行う波形測定部（１５）と、前記複数の周波数特性補正部の選択、前記誤り率測定部の測定条件の設定または前記波形測定部の測定条件の設定のための各パラメータ値を入力するための操作入力部（２０）と、前記複数の周波数特性補正部を選択するための前記周波数特性選択部のパラメータ値と、前記誤り率測定部の測定条件を設定するためのパラメータ値と、前記波形測定部の測定条件を設定するためのパラメータ値とを対応付けたパラメータ対応情報を予めテーブル（３１）として記憶したパラメータ対応情報記憶部（３０）と、前記周波数特性選択部、前記誤り率測定部および前記波形測定部のうちいずれかの前記パラメータ値が前記操作入力部に入力されたとき、前記パラメータ対応情報記憶部の前記パラメータ対応情報に基づいて、前記入力されたパラメータ値を基準として、入力されなかった他のパラメータ値を設定する制御部（１９）と、を備えたことを特徴とする誤り率測定装置。
【請求項２】
前記パラメータ対応情報は、少なくとも前記通信規格の規格名称と、
前記通信規格で定義されている前記誤り率測定部および前記波形測定部に設定すべき前記ビットレートと、
該ビットレートに対応した前記周波数特性補正部を選択する情報とが対応付けられていることを特徴とする請求項１に記載の誤り率測定装置。
【請求項３】
前記制御部は、前記周波数特性選択部、前記誤り率測定部および前記波形測定部のうちいずれかの前記パラメータ値が前記操作入力部に入力されるたびに、前記パラメータ対応情報記憶部の前記パラメータ対応情報に基づいて、前記入力されたパラメータ値を基準として、入力されなかった他のパラメータ値を設定することを特徴とする請求項１または２記載のいずれか１項に記載の誤り率測定装置。
【請求項４】
前記被測定信号のビットレートを自動で判別するビットレート判別部（４０）をさらに備え、前記制御部は前記ビットレート判別部で判別した前記ビットレートに合わせた前記パラメータ値を決定して前記周波数特性選択部、前記誤り率測定部および前記波形測定部のパラメータ値を設定することを特徴とする請求項１から３のいずれか１項に記載の誤り率測定装置。
【請求項５】
前記パラメータ対応情報と、前記周波数特性選択部（１１）に実装されている前記複数の周波数特性補正部（１２）の実装情報とから、実装されている前記周波数特性補正部のみを操作入力部（２０）で選択可能としたことを特徴とする請求項１から４のいずれか１項に記載の誤り率測定装置。
【請求項６】
前記被測定信号は光信号であって、前記周波数特性選択部の前段には前記光信号を電気信号に変換する光電変換部（１０）をさらに備えたことを特徴とする請求項１から５のいずれか１項に記載の誤り率測定装置。
【請求項７】
前記周波数特性補正部は、所望のカットオフ周波数を有するフィルタ（５０ａ、５０ｂ）と、所望の周波数補正特性を有するイコライザ（５１ａ、５１ｂ）とで構成されていることを特徴とする請求項１から６のいずれか１項に記載の誤り率測定装置。
【請求項８】
前記周波数特性選択部は、前記複数の周波数特性補正部を含み、前記複数の周波数特性補正部の中から前記通信規格のビットレートに対応した前記周波数特性補正部を選択するために高周波信号の経路を切り替えるべく接点が連動して開閉制御される高周波切替部（５２ａ，５２ｂ）を備えていることを特徴とする請求項１から７のいずれか１項に記載の誤り率測定装置。
【請求項９】
前記操作入力部から入力される前記パラメータ値が、前記誤り率測定部の測定条件を設定するためのパラメータ値または前記波形測定部の測定条件を設定するためのパラメータ値である場合、入力された前記パラメータ値が前記複数の周波数特性補正部に対応しているか否かを前記パラメータ対応情報に基づいて判定し、前記パラメータ値が前記複数の周波数特性補正部のいずれにも対応していないとき通知を行うことを特徴とする請求項１から８のいずれか１項に記載の誤り率測定装置。
【請求項１０】
通信規格で規定された通信を行うための被試験デバイスから出力される被測定信号を該通信規格で規定されている複数のビットレートの各々に対応した周波数特性に補正する周波数特性補正ステップと、当該周波数特性補正ステップで補正された前記被測定信号のビット誤り率測定を行う誤り率測定ステップと、前記周波数特性補正ステップで補正された前記被測定信号の波形測定を行う波形測定ステップとを備えた誤り率測定方法であって、前記周波数特性補正ステップの補正条件の設定、前記誤り率測定ステップの測定条件の設定または前記波形測定ステップの測定条件の設定のための各パラメータ値を入力するための操作入力ステップと、前記周波数特性補正ステップの補正条件の設定をするための前記周波数特性補正ステップのパラメータ値と、前記誤り率測定ステップの測定条件を設定するためのパラメータ値と、前記波形測定ステップの測定条件を設定するためのパラメータ値とを対応付けたパラメータ対応情報を予めテーブルとして記憶しておく情報記憶ステップと、前記周波数特性補正ステップ、前記誤り率測定ステップおよび前記波形測定ステップの各ステップのうちいずれかの前記パラメータ値が前記操作入力ステップで入力されたとき、前記パラメータ対応情報記憶ステップの前記パラメータ対応情報に基づいて、前記入力されたパラメータ値を基準として、入力されなかった他のパラメータ値を設定する制御ステップと、前記基準とされたパラメータ値と、前記設定されたパラメータ値とを用いて前記ビット誤り率測定、前記波形測定の少なくともいずれかの測定を行う測定実行ステップと、を含むことを特徴とする誤り率測定方法。
【発明の詳細な説明】
【技術分野】
【０００１】
本発明は、通信規格で規定された通信を行うための被試験デバイスから出力される被測定信号のビット誤り率測定と波形測定を行う誤り率測定装置に係り、特にビット誤り率測定時の測定条件を設定するパラメータ値、波形測定時の測定条件を設定するパラメータ値および通信規格で規定された複数のビットレートの各々に対応した複数の所望帯域以外の信号成分を除去するフィルタの中から通信規格に合致したフィルタを選択するパラメータ値を整合させて操作性の向上を図る誤り率測定装置および誤り率測定方法に関するものである。
【背景技術】
【０００２】
近年、各種のディジタル無線通信装置は、利用者数の増加やマルチメディア通信の普及に伴い、より大容量の伝送能力が求められている。そして、これらのディジタル無線通信装置におけるディジタル信号の品質評価の指標の一つとして、受信データのうち符号誤りが発生した数と受信データの総数との比較として定義されるビット誤り率（Ｂｉｔ  Ｅｒｒｏｒ  Ｒａｔｅ）が知られている。
【０００３】
また、試験対象となる通信規格で規定された通信を行うための光電変換部品等の被試験デバイス（Ｄｅｖｉｃｅ  Ｕｎｄｅｒ  Ｔｅｓｔ）に対して固定データを含むテスト信号を送信し、被試験デバイスを介して入力される被測定信号と基準となる参照信号とをビット単位で比較して、被測定信号の誤り率を検出する装置として、たとえば下記特許文献１に開示されるような誤り率測定装置が公知である。
【０００４】
図８は、下記特許文献１に開示される誤り率測定装置の概略構成図である。図示のように、ビット誤り測定装置１００は、ＲＡＭ等のメモリによって構成されるデータ記憶部１０１、比較データ記憶部１０２、および位置情報記憶部１０３と、集積回路等によって構成される信号送信部１０４、信号受信部１０５、同期検出部１０６、比較部１０７、表示制御部１０８と、ＣＲＴや液晶ディスプレイ等の表示機器１０９、およびキーボード等の操作部１１０とによって構成され、測定対象２００から受信した入力データと測定対象２００から受信されるべき既知のデータとを比較して誤りビットを測定するビット誤り測定装置１００において、比較データ記憶部１０２と、受信した入力データと既知のデータとを比較し、所定の検出条件で検出される１または複数の検出ビットを含むビット列の比較データを、検出されることに応じて比較データ記憶部１０２へ順次格納する比較部１０７と、比較データ記憶部１０２に格納された比較データから得られるそれぞれのビット列を、所定の配置条件に従った位置を基準にして並べて表示機器１０９に表示する表示制御部１０８とを備えて構成している。
さらに、従来は上記ビット誤り測定装置１００の構成に加え、測定対象２００から受信した入力データの波形を観測するための波形観測装置１２２と、所望帯域以外の信号成分を除去するフィルタの中から通信規格に合致した複数のフィルタ１２１と、測定対象２００から受信した入力データを、ビット誤り測定装置１００と波形観測装置１２２との２つの経路に分割するための信号分割器１２０で構成していた。
【先行技術文献】
【特許文献】
【０００５】
【特許文献１】特開２００７−２７４４７４号公報
【発明の概要】
【発明が解決しようとする課題】
【０００６】
ところで、上述した特許文献１の誤り率測定装置を用いて被試験デバイスの誤り率を測定した際に、測定結果の異常が発見されると、オシロスコープ等の信号波形を測定する波形測定装置を用いて被試験デバイスから入力した被測定信号の波形測定して原因の究明を行っている。
【０００７】
このように、誤り率測定装置と波形測定装置を用いて被試験デバイスの測定を行う場合、被試験デバイスを介して入力される同一の被測定信号を測定しているため、各装置の測定条件を設定するパラメータ値を同一にする必要がある。しかしながら、従来の装置では各機能が独立して具備されているため、測定を行うためには、誤り率測定装置、波形測定装置のそれぞれに測定条件を設定するパラメータ値を設定し、かつ所望帯域以外の信号成分を除去するフィルタの中から通信規格に合致した複数のフィルタの選択が整合しているかを確認して設定する必要であり、設定作業が煩雑であった。このため、操作が極めて煩雑となり、また設定忘れや間違いによる最適な測定ができない問題がある。
【０００８】
また、ユーザによっては、上記のように誤り率測定装置で被試験デバイスの誤り率を測定後に、波形測定装置で信号の波形測定を行う事例があるため、誤り率測定装置における誤り率測定機能と波形測定装置における波形測定機能とを備える新たな装置の開発が望まれている。
【０００９】
さらに、所望帯域以外の信号成分を除去するフィルタは、様々な分野で使用されており、特に光通信分野において、上述した誤り率測定装置や波形測定装置等の受信器では、信号の雑音成分除去とリンギング防止のため、信号ビットレート（信号の通信速度）の７５％の遮断周波数を有する４次Ｂｅｓｓｅｌ−Ｔｈｏｍｓｏｎ  Ｌｏｗ−Ｐａｓｓ−Ｆｉｌｔｅｒ（以下、ＢＴ−ＬＰＦと略称する）の使用が通信規格にて規定されている。たとえばＩＴＵ−Ｔ  Ｇ．９５７では、ｒｅｆｅｒｅｎｃｅ  ｒｅｃｅｉｖｅｒの特性として４次Ｂｅｓｓｅｌ  ＬＰＦが規定されており、その周波数特性の誤差範囲までの規定がなされている。また、上述の通信規格に限らず、通信規格毎に信号ビットレートとＢＴ−ＬＰＦの遮断周波数が決められている。このため、上述した誤り率測定装置を含む各種測定装置の受信器においてＢＴ−ＬＰＦを使用する必要がある。
そして、個々の測定装置は、色々な周波数で測定が行えるように様々な通信規格のビットレートに対応しているので、通信規格のビットレートの種類分だけＢＴ−ＬＰＦが必要となる。
また、通信規格では、受信器全体の特性としてＢＴ−ＬＰＦ特性を要求しているため、フィルタ単体での設計ではなく、受信システム全体として設計をする必要があり、受信システム毎（測定装置毎）に設計をし、かつ通信規格のビットレートに合わせてＢＴ−ＬＰＦを切り替える必要がある。
【００１０】
そこで、本発明は上記問題点に鑑みてなされたものであり、誤り率測定機能と波形測定機能とを備え、誤り率測定に係るパラメータ値、波形測定に係るパラメータ値および通信規格で規定された複数のビットレートの各々に対応した周波数特性補正手段を選択するパラメータ値を整合させて設定作業の簡便化を図ることのできる誤り率測定装置および誤り率測定方法を提供することを目的とするものである。
【課題を解決するための手段】
【００１１】上記した目的を達成するために、請求項１記載の誤り率測定装置は、通信規格で規定された通信を行うための被試験デバイス（９０）から出力される被測定信号を該通信規格で規定されている複数のビットレートの各々に対応した周波数特性に補正する複数の周波数特性補正部（１２）を有し、前記複数の周波数特性補正部のうちいずれか１つを選択する周波数特性選択部（１１）と、当該選択された周波数特性補正部で補正された前記被測定信号のビット誤り率測定を行う誤り率測定部（１４）と、前記選択された周波数特性補正部で補正された前記被測定信号の波形測定を行う波形測定部（１５）と、前記複数の周波数特性補正部の選択、前記誤り率測定部の測定条件の設定または前記波形測定部の測定条件の設定のための各パラメータ値を入力するための操作入力部（２０）と、前記複数の周波数特性補正部を選択するための前記周波数特性選択部のパラメータ値と、前記誤り率測定部の測定条件を設定するためのパラメータ値と、前記波形測定部の測定条件を設定するためのパラメータ値とを対応付けたパラメータ対応情報を予めテーブル（３１）として記憶したパラメータ対応情報記憶部（３０）と、前記周波数特性選択部、前記誤り率測定部および前記波形測定部のうちいずれかの前記パラメータ値が前記操作入力部に入力されたとき、前記パラメータ対応情報記憶部の前記パラメータ対応情報に基づいて、前記入力されたパラメータ値を基準として、入力されなかった他のパラメータ値を設定する制御部（１９）と、を備えたことを特徴とする。【００１２】  請求項２記載の誤り率測定装置は、請求項１記載の誤り率測定装置において、前記パラメータ対応情報は、少なくとも前記通信規格の規格名称と、前記通信規格で定義されている前記誤り率測定部および前記波形測定部に設定すべき前記ビットレートと、該ビットレートに対応した前記周波数特性補正部を選択する情報とが対応付けられていることを特徴とする。請求項３記載の誤り率測定装置は、請求項１または２のいずれか１項に記載の誤り率測定装置において、前記制御部は、前記周波数特性選択部、前記誤り率測定部および前記波形測定部のうちいずれかの前記パラメータ値が前記操作入力部に入力されるたびに、前記パラメータ対応情報記憶部の前記パラメータ対応情報に基づいて、前記入力されたパラメータ値を基準として、入力されなかった他のパラメータ値を設定することを特徴とする。【００１３】  請求項４記載の誤り率測定装置は、請求項１から３のいずれか１項に記載の誤り率測定装置において、前記被測定信号のビットレートを自動で判別するビットレート判別部（４０）をさらに備え、前記制御部は前記ビットレート判別部で判別した前記ビットレートに合わせた前記パラメータ値を決定して前記周波数特性選択部、前記誤り率測定部および前記波形測定部のパラメータ値を設定することを特徴とする。請求項５記載の誤り率測定装置は、請求項１から４のいずれか１項に記載の誤り率測定装置において、前記パラメータ対応情報と、前記周波数特性選択部（１１）に実装されている前記複数の周波数特性補正部（１２）の実装情報とから、実装されている前記周波数特性補正部のみを操作入力部（２０）で選択可��としたことを特徴とする。請求項６記載の誤り率測定装置は、請求項１から５のいずれか１項に記載の誤り率測定装置において、前記被測定信号は光信号であって、前記周波数特性選択部の前段には前記光信号を電気信号に変換する光電変換部（１０）をさらに備えたことを特徴とする。請求項７記載の誤り率測定装置は、請求項１から６のいずれか１項に記載の誤り率測定装置において、前記周波数特性補正部は、所望のカットオフ周波数を有するフィルタ（５０ａ、５０ｂ）と、所望の周波数補正特性を有するイコライザ（５１ａ、５１ｂ）とで構成されていることを特徴とする。請求項８記載の誤り率測定装置は、請求項１から７のいずれか１項に記載の誤り率測定装置において、前記周波数特性選択部は、前記複数の周波数特性補正部を含み、前記複数の周波数特性補正部の中から前記通信規格のビットレートに対応した前記周波数特性補正部を選択するために高周波信号の経路を切り替えるべく接点が連動して開閉制御される高周波切替部（５２ａ，５２ｂ）を備えていることを特徴とする。請求項９記載の誤り率測定装置は、請求項１から８のいずれか１項に記載の誤り率測定装置において、前記操作入力部から入力される前記パラメータ値が、前記誤り率測定部の測定条件を設定するためのパラメータ値または前記波形測定部の測定条件を設定するためのパラメータ値である場合、入力された前記パラメータ値が前記複数の周波数特性補正部に対応しているか否かを前記パラメータ対応情報に基づいて判定し、前記パラメータ値が前記複数の周波数特性補正部のいずれにも対応していないとき通知を行うことを特徴とする。請求項１０記載の誤り率測定方法は、通信規格で規定された通信を行うための被試験デバイスから出力される被測定信号を該通信規格で規定されている複数のビットレートの各々に対応した周波数特性に補正する周波数特性補正ステップと、当該周波数特性補正ステップで補正された前記被測定信号のビット誤り率測定を行う誤り率測定ステップと、前記周波数特性補正ステップで補正された前記被測定信号の波形測定を行う波形測定ステップとを備えた誤り率測定方法であって、前記周波数特性補正ステップの補正条件の設定、前記誤り率測定ステップの測定条件の設定または前記波形測定ステップの測定条件の設定のための各パラメータ値を入力するための操作入力ステップと、前記周波数特性補正ステップの補正条件の設定をするための前記周波数特性補正ステップのパラメータ値と、前記誤り率測定ステップの測定条件を設定するためのパラメータ値と、前記波形測定ステップの測定条件を設定するためのパラメータ値とを対応付けたパラメータ対応情報を予めテーブルとして記憶しておく情報記憶ステップと、前記周波数特性補正ステップ、前記誤り率測定ステップおよび前記波形測定ステップの各ステップのうちいずれかの前記パラメータ値が前記操作入力ステップで入力されたとき、前記パラメータ対応情報記憶ステップの前記パラメータ対応情報に基づいて、前記入力されたパラメータ値を基準として、入力されなかった他のパラメータ値を設定する制御ステップと、前記基準とされたパラメータ値と、前記設定されたパラメータ値とを用いて前記ビット誤り率測定、前記波形��定の少なくともいずれかの測定を行う測定実行ステップと、を含むことを特徴とする。
【発明の効果】
【００１４】  本発明の誤り率測定装置によれば、誤り率測定部、波形測定部および通信規格で規定された複数のビットレートの各々に対応した周波数特性の選択を行って被試験デバイスの特性評価を行う際に、必要なパラメータ値を対応付けて管理するためのパラメータ対応情報に基づいて、入力されたパラメータ値を基準として、入力されなかった他のパラメータ値を設定するようにしたので、１つのパラメータ値で複数の測定部、周波数特性選択部のパラメータ値を設定することが可能となる。また、本発明の誤り率測定装置によれば、周波数特性選択部、誤り率測定部および波形測定部のうちいずれかのパラメータ値が操作入力部に入力されるたびに、パラメータ対応情報記憶部のパラメータ対応情報に基づいて、入力されたパラメータ値を基準として、入力されなかった他のパラメータ値を設定するように構成しているので、パラメータ値を変更した場合であっても、その都度設定変更や確認作業の必要がなく、ユーザビリティが向上する。
【図面の簡単な説明】
【００１５】
【図１】本発明に係る誤り率測定装置の装置構成を示す概略ブロック図である。
【図２】（ａ）〜（ｃ）同装置における操作入力前の設定項目画面の表示構成例を示す説明図である。
【図３】（ａ）〜（ｃ）同装置における操作入力後の設定項目画面の表示構成例を示す説明図である。
【図４】同装置におけるパラメータ対応情報記憶部のテーブルの構成例を示す図である。
【図５】同装置のパラメータ値入力時の処理動作を示す処理シーケンス図である。
【図６】同装置のパラメータ値変更時の処理動作を示す処理シーケンス図である。
【図７】同装置のパラメータ値入力時の処理動作を示すフローチャートである。
【図８】従来の誤り率測定装置の装置構成を示す概略ブロック図である。
【発明を実施するための形態】
【００１６】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例および運用技術等はすべて本発明の範疇に含まれる。
［装置構成］
まず、本発明に係る誤り率測定装置のシステム構成について、図１、２、３を参照しながら説明する。
【００１７】
図１に示すように、本例の誤り率測定装置１は、被試験デバイス９０の誤り率の測定と信号波形の測定を行うための装置であり、光電変換部１０、周波数特性選択部１１、周波数特性補正部１２、信号分割部１３、誤り率測定部１４、波形測定部１５、周波数特性補正制御部１６、誤り率測定制御部１７、波形測定制御部１８、制御部１９、操作入力部２０、表示部２１、パラメータ対応情報記憶部３０、テーブル３１、ビットレート判別部４０、フィルタ５０ａ、５０ｂ、イコライザ５１ａ、５１ｂ、高周波切替部５２、を備えている。
【００１８】
誤り率測定部１４は、所定のパルスパターンのテスト信号を被試験デバイス９０に対して送信するパルスパターン発生器（Ｐｕｌｓｅ  Ｐａｔｔｅｒｎ  Ｇｅｎｅｒａｔｏｒ：ＰＰＧ）の機能、送信したテスト信号を被試験デバイス９０を介して受信して誤り率を測定する誤り率検出器（Ｅｒｒｏｒ  Ｄｅｔｅｃｔｏｒ：ＥＤ）の機能を有している。誤り率測定部１４は、誤り率測定制御部１７の制御により、操作入力部２０で設定されたパラメータ値に基づき誤り率測定に関する処理を行い、得られた測定結果を誤り率測定制御部１７に出力している。
【００１９】
誤り率測定制御部１７は、誤り率測定部１４を駆動制御するためのアプリケーションソフトウェアとして機能実現している。
【００２０】
誤り率測定制御部１７は、操作入力部２０から誤り率測定部１４の測定条件を設定するためのパラメータ値が入力されると、誤り率測定部１４の測定条件を設定するためのパラメータ値を基準として、複数の周波数特性補正部１２のうちいずれか１つを選択するための周波数特性選択部１１のパラメータ値および波形測定部１５の測定条件を設定するためのパラメータ値を設定するため、基準とする誤り率測定部１４のパラメータ値を制御部１９に出力するとともに、パラメータ対応情報記憶部３０に予め記憶された複数の周波数特性補正部１２を選択するための周波数特性選択部１１のパラメータ値および波形測定部１５の測定条件を設定するためのパラメータ値とを問合せるための問合せ信号を制御部１９に出力している。
【００２１】
制御部１９は、誤り率測定制御部１７から問合せ信号が入力されると、基準とする誤り率測定部１４のパラメータ値をパラメータ対応情報記憶部３０に出力するとともに、パラメータ対応情報記憶部３０に対し、複数の周波数特性補正部１２のうちいずれか１つを選択するための周波数特性選択部１１のパラメータ値および波形測定部１５の測定条件を設定するためのパラメータ値の問合せを行う。
パラメータ対応情報記憶部３０は、半導体メモリやハードディスク等の記憶手段により実現され、たとえば図４に示すテーブルの形式で構成されている。図４の各項目は、周波数特性選択部１１に対応している「Ｆｉｌｔｅｒ」８０、誤り率測定部１４に対応している「Ｂｉｔｒａｔｅ  Ｓｔａｎｄａｒｄ（規格名称）」８２および「Ｂｉｔｒａｔｅ」８３、波形測定部１５に対応している「Ｄａｔａ  Ｒａｔｅ」８４および「Ｃｌｏｃｋ  Ｒａｔｅ」８５となっている。
このように、パラメータ対応情報記憶部３０のテーブル３１は複数の周波数特性補正部１２のうちいずれか１つを選択するための周波数特性選択部１１のパラメータ値と、誤り率測定部１４の測定条件を設定するためのパラメータ値と、波形測定部１５の測定条件を設定するためのパラメータ値とを対応付けた情報を予め記憶している。なお、「Ｆｉｌｔｅｒ  Ｃｕｔｏｆｆ」８１は、フィルタの具体的なカットオフ周波数を理解しやすいように示しているが、表示部２１の表示画面上に表示された例を示す図２および図３では図示していない。ただし、図２および図３の表示画面上に「Ｆｉｌｔｅｒ  Ｃｕｔｏｆｆ」８１を表示させて、フィルタの具体的なカットオフ周波数をユーザが把握できるように構成してもよい。
たとえば、操作入力部２０から周波数特性選択部１１に対応している「Ｆｉｌｔｅｒ」８０に対して「１０ＧｂＥ  ＦＥＣ」が入力された場合、誤り率測定部１４に対応している「Ｂｉｔｒａｔｅ  Ｓｔａｎｄａｒｄ（規格名称）」８２は「１０ＧｂＥ  ＦＥＣ」、「Ｂｉｔｒａｔｅ」８３は「１１．０９５７２８（Ｇｂｐｓ）」、波形測定部１５に対応している「Ｄａｔａ  Ｒａｔｅ」８４は「１１．０９５７２８（Ｇｂｐｓ）」、「Ｃｌｏｃｋ  Ｒａｔｅ」８５は「１１．０９５７２８（Ｇｂｐｓ）」と一意に決定される。なお、図４に示すテーブルは、図示しない外部入出力手段により変更が可能な構成としてもよい。このように変更可能に構成すれば、今後の通信規格の増加や、既存の通信規格の変更があっても容易かつ柔軟に対応できる。
【００２２】
パラメータ対応情報記憶部３０は、制御部１９からパラメータ値が問合せられると、制御部１９から出力された基準とする誤り率測定部１４のパラメータ値に対応する複数の周波数特性補正部１２のうちいずれか１つを選択するための周波数特性選択部１１のパラメータ値と波形測定部１５の測定条件を設定するためのパラメータ値とをテーブル３１から抽出し、抽出した各パラメータ値を周波数特性補正制御部１６と、波形測定制御部１８とにそれぞれ出力する。
【００２３】
周波数特性補正制御部１６は、パラメータ対応情報記憶部３０から出力されたパラメータ値になるように自身のパラメータ値を設定し、設定を完了したことを示す設定完了信号を制御部１９に出力する。そして、周波数特性補正制御部１６は、周波数特性選択部１１に対して制御を行って、パラメータ対応情報記憶部３０から出力されたパラメータ値に対応した周波数特性補正部１２を選択する。
波形測定制御部１８は、パラメータ対応情報記憶部３０から出力されたパラメータ値になるように自身のパラメータ値を設定し、設定を完了したことを示す設定完了信号を制御部１９に出力する。
制御部１９は、周波数特性補正制御部１６と、波形測定制御部１８とから設定完了信号を受けると、周波数特性補正制御部１６と、波形測定制御部１８のパラメータ値がそれぞれ所望のパラメータ値になったと判断し、測定開始の準備が整ったとして測定開始を許可するための測定許可信号を誤り率測定制御部１７および波形測定制御部１８に出力する。
誤り率測定制御部１７および波形測定制御部１８は、制御部１９から測定許可信号を受けると、それぞれ誤り率測定または波形測定を開始する。または、制御部１９から測定許可信号を受けた後、操作入力部２０からの測定開始指示の入力があった場合に測定開始するように構成してもよい。
【００２４】
波形測定部１５は、たとえばサンプリングオシロスコープ等のアナログ測定波形をディジタル信号に変換し波形データとしてメモリに取り込むとともに、電圧や電流の値が時間的に変化する事象を離散的にサンプリングして得た波形データに基づき、表示画面上に波形画像を再生表示する機能を備えている。波形測定部１５は、波形測定制御部１８からの制御により、操作入力部２０で設定されたパラメータ値に基づく波形測定に関する処理を行い、得られた波形データを波形測定制御部１８に出力している。
波形測定制御部１８は、波形測定部１５を駆動制御するためのアプリケーションソフトウェアとして機能実現している。
光電変換部１０は、たとえばフォトダイオード（ＰＤ）からなり、１つの入力端１ａから入力される光信号を電気信号に変換している。
入力端１ａから入力される被試験デバイス９０の出力信号が電気信号である場合、光電変換部１０は不要であるが、被試験デバイスの出力信号が光信号である場合、高周波切替部５２ａの前段には光信号を電気信号に変換する光電変換部１０を設け、被測定信号を電気信号に変換する構成としている。
高周波切替部５２は、たとえば２６ＧＨｚの高周波に対応した高周波リレーや高周波スイッチで構成される。この高周波切替部５２は、周波数特性補正部１２の前段に設けられる入力側の高周波切替部５２ａと、周波数特性補正部１２の後段に設けられる出力側の高周波切替部５２ｂとからなり、それぞれの接点が周波数特性補正制御部１６により連動して選択制御される。
周波数特性補正部１２は、フィルタ５０ａ、５０ｂとイコライザ５１ａ、５１ｂとが入力側の高周波切替部５２ａと出力側の高周波切替部５２ｂとの間に並列に複数組接続される。この複数組のフィルタ５０ａ、５０ｂとイコライザ５１ａ、５１ｂは、通信規格で規定された各々の通信規格のビットレートに対応している。
フィルタ５０ａ、５０ｂは、たとえばローパスフィルタからなり、特定の閾値よりも高い周波数信号を減衰させて遮断し、低域周波数のみを信号として通過させている。
イコライザ５１ａ、５１ｂは、フィルタ５０ａ、５０ｂの前後に配置されるたとえばハイパスフィルタ特性の半導体抵抗やキャパシタからなり、フィルタ５０ａ、５０ｂの特性を用いて通信規格を満足するべく半導体抵抗の抵抗値を可変して調整し、高周波切替部５２（高周波リレーや高周波スイッチ）やケーブル損失、使用している光電変換部（ＰＤ）１０の特性および信号分割部１３に起因する特性劣化が無くなるように補正している。
【００２５】
信号分割部１３は、被試験デバイス９０を介して入力される被測定信号を所定経路へ分割するディバイダで構成される。信号分割部１３は、制御部１９の制御により、誤り率測定部１４および波形測定部１５で測定を行う場合に、被試験デバイス９０からの被測定信号を、誤り率測定部１４の誤り率検出器、波形測定部１５との２つの経路に分割している。なお、信号分割部１３は、誤り率測定部１４のみで被試験デバイス９０の測定を行う場合は、被測定信号を分割せずに誤り率測定部１４にのみ出力し、波形測定部１５のみで被試験デバイス９０の測定を行う場合は、被測定信号を分割せずに波形測定部１５のみに出力している。
【００２６】
操作入力部２０は、たとえば表示部２１の表示画面に対応する入力面への接触操作による接触位置を検出するためのタッチセンサを備えるタッチパネルで構成される。操作入力部２０は、ユーザが表示部２１に表示されている設定項目画面のうち、特定の項目の位置を指やスタイラス等で触れることで、タッチセンサが画面上で検出した位置と項目の位置とが一致することを認識し、各項目に割り当てられた機能を実行するための項目選択信号を制御部１９に出力している。
【００２７】
表示部２１は、液晶ディスプレイやＣＲＴ等の表示機器で構成され、制御部１９の表示制御に基づき、誤り率測定部１４に関する設定項目画面や波形測定部１５に関する設定項目画面の表示、誤り率測定部１４や波形測定部１５で得られた測定結果の表示、周波数特性補正制御部１６の選択設定や周波数特性補正部１２に対応する通信規格名称等、誤り率測定装置１の駆動や各種制御に関する表示内容を表示している。
【００２８】
ここで、図２、３を参照しながら、表示部２１の表示画面上に表示された誤り率測定部１４に関する設定項目画面、波形測定部１５に関する設定項目画面および周波数特性選択部１１に関する設定項目画面の表示例と入力操作例について説明する。なお、図示の設定項目画面は、誤り率測定部１４と波形測定部１５を１つずつ備えた装置構成における表示例であり、誤り率測定装置１を駆動する上で必要最小限の設定項目のみを表示した一例であり、装置の仕様や構成内容、使用環境等に応じてユーザ所望の設定項目を任意に追加した画面構成とすることもできる。
図２は、本発明の誤り率測定装置１の操作入力部２０に、周波数特性選択部１１、誤り率測定部１４または波形測定部１５の各部のうちいずれか１つの部のパラメータが入力される前の状態を示している。
【００２９】
本例の誤り率測定装置１における設定項目画面は、図２（ａ）に示すように主に誤り率測定部１４で用いる「Ｂｉｔ  Ｒａｔｅ」６０および「Ｄａｔａ  Ｐａｔｔｅｒｎ」６３と、図２（ｂ）に示すように主に波形測定部１５で用いる「Ｄａｔａ  Ｃｌｏｃｋ  Ｒａｔｅ」６５および「Ｐａｔｔｅｒｎ  Ｌｅｎｇｔｈ」６９と、図２（ｃ）に示すように主に周波数特性選択部１１で用いる「Ｆｉｌｔｅｒ  Ｓｅｌｅｃｔ」７１とに大別され、それぞれに操作入力部２０によるパラメータ値入力項目と選択項目が表示されている。
【００３０】
詳述すると、操作入力部２０によるパラメータ値入力項目として、図２（ａ）の「Ｂｉｔ  Ｒａｔｅ」６０の欄には、通信規格の規格名称である「Ｂｉｔ  Ｒａｔｅ  Ｓｔａｎｄａｒｄ」６１、また単位時間に伝送（処理）されるビット数であるビットレートを入力する「Ｂｉｔｒａｔｅ」６２の項目があり、「Ｄａｔａ  Ｐａｔｔｅｒｎ」６３の欄には、たとえば擬似ランダム符号の１つであるＰＲＢＳ７といったデータの信号パターンを入力する「Ｐａｔｔｅｒｎ」６４の項目があり、ユーザによって任意の値が設定可能となっている。
また、操作入力部２０によるパラメータ値入力項目として、図２（ｂ）の「Ｄａｔａ  Ｃｌｏｃｋ  Ｒａｔｅ」６５の欄には、単位時間に伝送（処理）されるビット数であるデータレートを入力する「Ｄａｔａ  Ｒａｔｅ」６６、クロック信号の動作周波数であるクロックレートを入力する「Ｃｌｏｃｋ  Ｒａｔｅ」６７の項目があり、またクロックレートを入力する補助機能として内部でクロックレートを自動測定するための「Ａｃｑｕｉｒｅ  Ｃｌｏｃｋ  Ｒａｔｅ」６８の項目があり、ユーザによって任意の値が設定可能となっている。
【００３１】
図３は、本発明の誤り率測定装置１の操作入力部２０に、周波数特性選択部１１、誤り率測定部１４または波形測定部１５の各部のうちいずれか１つの部のパラメータが入力された後の状態を示している。
図示された画面構成例において、いずれか１つの部のパラメータ値、たとえば図３（ｃ）の周波数特性選択部１１の「Ｆｉｌｔｅｒ」７２に対して、操作入力部２０からパラメータ値「１０ＧｂＥ  ＦＥＣ」が入力されたとき、パラメータ対応情報記憶部３０のテーブル３１の情報に基づいて、パラメータ値が入力された周波数特性選択部１１のパラメータ値「１０ＧｂＥ  ＦＥＣ」を基準としてパラメータ値が入力されなかった誤り率測定部１４および波形測定部１５のパラメータ値を、図３（ａ）、（ｂ）および（ｃ）に示すようにパラメータ値が入力された周波数特性選択部１１のパラメータ値に対応した値に設定する構成である。すなわち、図３（ｃ）の「Ｆｉｌｔｅｒ」７２のパラメータ値「１０ＧｂＥ  ＦＥＣ」に合わせ、テーブル３１の情報に基づいて、図３（ｂ）では、「Ｄａｔａ  Ｒａｔｅ」６６が「１１．０９５７２８」Ｇｂｐｓに設定されており、図３（ｂ）の「Ｄａｔａ  Ｒａｔｅ」６６の項目および図３（ａ）の各項目も同様にして図３（ｃ）の「Ｆｉｌｔｅｒ」７２に入力されたパラメータ値「１０ＧｂＥ  ＦＥＣ」に合わせて設定されている。なお、図３（ｂ）の「Ｌｅｎｇｔｈ」７０のパラメータ値は、テーブル３１の情報に基づいて設定されないように構成してもよい。これは、「Ｄａｔａ  Ｒａｔｅ」６６および「Ｃｌｏｃｋ  Ｒａｔｅ」６７のパラメータ値は必須の設定項目であるが、「Ｌｅｎｇｔｈ」７０のパラメータ値はユーザが所望する測定内容によっては必須な設定項目とならないためであり、必要に応じてユーザが任意の設定を行うことが可能なように構成してもよいためである。
また、図３（ａ）の「Ｂｉｔ  Ｒａｔｅ」６２および図３（ｂ）の「Ｄａｔａ  Ｒａｔｅ」６６、「Ｃｌｏｃｋ  Ｒａｔｅ」６７のパラメータ値は、たとえば図示しないテンキーを用いて数値入力するように構成してもよい。
さらに、図３（ａ）の「Ｂｉｔ  Ｒａｔｅ」６２、図３（ｂ）の「Ｄａｔａ  Ｒａｔｅ」６６、「Ｃｌｏｃｋ  Ｒａｔｅ」６７のいずれか１つにパラメータ値が数値入力されたときに、当該数値が複数の周波数特性補正部１２のいずれにも該当しないか否かをテーブル３１を参照して判定し、いずれにも該当しない場合には、表示部２１にエラーメッセージ表示、図示しない音響手段による音声出力、または図示しない外部出力手段によって通知を行うように構成してもよい。
このように構成することにより、「Ｂｉｔ  Ｒａｔｅ」６２、「Ｄａｔａ  Ｒａｔｅ」６６、「Ｃｌｏｃｋ  Ｒａｔｅ」６７のパラメータ値のいずれか１つが複数の周波数特性補正部１２のいずれにも対応していないことをユーザが認知することができ、周波数特性補正部１２に対応していないパラメータ値の数値入力による誤測定を未然に防止することができる。
また、テーブル３１に記憶されたパラメータ対応情報と、周波数特性選択部１１に現に実装されている複数の周波数特性補正部１２の実装情報とから、実装されている周波数特性補正部１２のみを操作入力部２０で選択できるように構成してもよい。
具体的には、たとえば周波数特性がそれぞれ異なる周波数特性補正部１２の各々に周波数特性選択部１１と電気的に接続するためのコネクタを備えておくとともに、各々の周波数特性補正部１２には、自己の周波数特性を示すＩＤ等や対応する通信規格を示すＩＤ等を実装情報として半導体メモリ等を用いて予め記憶させておく。周波数特性選択部１１はコネクタを経由して実装情報としたＩＤ等を取得し、どのような周波数補正部１２や対応する通信規格の周波数補正部１２が実装されたことを検出する。
このように構成することにより、実装されていない周波数特性補正部１２の選択を未然に防止でき、操作性が向上するとともに、表示部２１における周波数特性補正部１２の選択項目が実装されている周波数特性補正部１２のみとなり、視認性が向上する。
【００３２】
制御部１９は、たとえばＣＰＵやＲＯＭ、ＲＡＭ等のマイクロコンピュータで構成され、信号分割部１３の信号分割に関する制御、周波数特性選択部１１、誤り率測定部１４および波形測定部１５のパラメータ値に関する設定項目画面や測定結果を表示する際の各種表示制御、操作入力部２０からの項目選択信号に応じた処理動作に関する制御の他、誤り率測定装置１を構成する各部の駆動制御を行っている。
【００３３】
また、制御部１９は、誤り率測定制御部１７からパラメータ値を問合せられると、基準とする誤り率測定部１４のパラメータ値を出力するとともに、パラメータ対応情報記憶部３０に対し複数の周波数特性補正部１２のうちいずれか１つを選択するための周波数特性選択部１１のパラメータ値および波形測定部１５の測定条件を設定するためのパラメータ値の問合せを行う。
【００３４】
さらに、制御部１９は、周波数特性補正制御部１６と、波形測定制御部１８とから設定完了信号を受けると、周波数特性補正制御部１６と、波形測定制御部１８のパラメータ値がそれぞれ所望のパラメータ値になったと判断し、測定開始の準備が整ったとして測定開始を許可するための測定許可信号を誤り率測定制御部１７および波形測定制御部１８とに出力する。
【００３５】
同様に、制御部１９は、波形測定制御部１８からパラメータ値を問合せられると、基準とする波形測定部１５のパラメータ値を出力するとともに、パラメータ対応情報記憶部３０に対し複数の周波数特性補正部１２のうちいずれか１つを選択するための周波数特性選択部１１のパラメータ値および誤り率測定部１４の測定条件を設定するためのパラメータ値の問合せを行う。
同様に、制御部１９は、周波数特性補正制御部１６と、誤り率測定制御部１７とから設定完了信号を受けると、周波数特性補正制御部１６と、誤り率測定制御部１７のパラメータ値がそれぞれ所望のパラメータ値になったと判断し、測定開始の準備が整ったとして測定開始を許可するための測定許可信号を誤り率測定制御部１７および波形測定制御部１８とに出力する。
【００３６】
また、制御部１９は、周波数特性選択部１１、誤り率測定部１４または波形測定部１５の各部のうちいずれか１つの部（たとえば周波数特性選択部１１）のパラメータ値が操作入力部２０に入力されるたびに、パラメータ対応情報記憶部３０のテーブル３１に基づいて、パラメータ値が入力された部（たとえば周波数特性選択部１１）のパラメータ値を基準としてパラメータ値が入力されなかった部（たとえば誤り率測定部１４または波形測定部１５）のパラメータ値をパラメータ値が入力された部（たとえば周波数特性選択部１１）のパラメータ値に対応した値に設定するようにしている。
［処理動作］
次に、上述した誤り率測定装置１における被試験デバイス９０の測定に関する一連の処理動作について、図５、６を参照しながら説明する。ここでは、被試験デバイス９０から出力された被測定信号は周波数特性選択部１１を介して誤り率測定部１４に入力され、誤り率測定部１４で被試験デバイス９０から出力された被測定信号の誤り率を測定した後に、波形測定部１５で波形測定を行い、誤り率測定部１４の項目設定画面からパラメータ値の入力を行った場合の処理動作例（図５）、誤り率測定部１４のパラメータ値を変更した場合の処理動作例（図６）についてそれぞれ説明する。なお、パラメータ値の入力、変更を行う際に用いる設定項目画面の表示構成としては、図３、４に示す表示例とする。
（パラメータ値入力時の処理動作）
まず、図５を参照しながら、パラメータ値の入力時の処理動作について説明する。ユーザは、誤り率測定装置１におけるパラメータ値を操作入力部２０から入力し、誤り率測定部１４の各種設定項目におけるパラメータ値の入力を行う（ＳＴ１）。次に、誤り率測定制御部１７は、入力されたパラメータ値に基づき、基準とする誤り率測定部１４のパラメータ値を制御部１９に出力するとともに、制御部１９に問合せ信号を出力する（ＳＴ２）。次に、制御部１９は、誤り率測定制御部１７から問合せ信号が入力されると、パラメータ対応情報記憶部３０に予め記憶された複数の周波数特性補正部１２を選択するための周波数特性選択部１１のパラメータ値および波形測定部１５の測定条件を設定するためのパラメータ値とを問合せるための問合せ信号をパラメータ対応情報記憶部３０に出力している（ＳＴ３）。
【００３７】
パラメータ対応情報記憶部３０は、制御部１９からパラメータ値が問合せられると、制御部１９から出力された基準とする誤り率測定部１４のパラメータ値に対応する複数の周波数特性補正部１２のうちいずれか１つを選択するための周波数特性選択部１１のパラメータ値と波形測定部１５の測定条件を設定するためのパラメータ値とをテーブル３１から抽出し、抽出した各パラメータ値を周波数特性補正制御部１６と、波形測定制御部１８とにそれぞれ出力する（ＳＴ４）。
周波数特性補正制御部１６は、パラメータ対応情報記憶部３０から出力されたパラメータ値になるように自身のパラメータ値を設定する（ＳＴ５）。次に、設定を完了したことを示す設定完了信号を制御部１９に出力する（ＳＴ６）。そして、周波数特性補正制御部１６は、周波数補正選択部１１に対して制御を行って、パラメータ対応情報記憶部３０から出力されたパラメータ値に対応した周波数特性補正部１２を選択する（ＳＴ７）。
波形測定制御部１８は、パラメータ対応情報記憶部３０から出力されたパラメータ値になるように自身のパラメータ値を設定する（ＳＴ８）。設定を完了したことを示す設定完了信号を制御部１９に出力する（ＳＴ９）。
制御部１９は、周波数特性補正制御部１６と、波形測定制御部１８とから設定完了信号を受けると、周波数特性補正制御部１６と、波形測定制御部１８のパラメータ値がそれぞれ所望のパラメータ値になったと判断し、測定開始の準備が整ったとして測定開始を許可するための測定許可信号を誤り率測定制御部１７および波形測定制御部１８とに出力する（ＳＴ１０）。
誤り率測定制御部１７および波形測定制御部１８は、制御部１９から測定許可信号を受けると、それぞれ誤り率測定または波形測定を開始する（ＳＴ１１、ＳＴ１２）。または、制御部１９から測定許可信号を受けた後、操作入力部２０からの測定開始指示の入力があった場合に測定開始するように構成してもよい。
（パラメータ値変更時の処理動作）
次に、図６を参照しながらパラメータ値変更時の処理動作について説明する。ユーザは、誤り率測定装置１におけるパラメータ値を操作入力部２０から変更し、誤り率測定部１４の各種設定項目におけるパラメータ値の変更を行う（ＳＴ２１）。次に、誤り率測定制御部１７は、変更されたパラメータ値に基づき、基準とする誤り率測定部１４のパラメータ値を制御部１９に出力するとともに、制御部１９にパラメータ変更信号を出力する（ＳＴ２２）。次に、制御部１９は、誤り率測定制御部１７からパラメータ変更信号が入力されると、パラメータ対応情報記憶部３０に予め記憶された複数の周波数特性補正部１２を選択するための周波数特性選択部１１のパラメータ値および波形測定部１５の測定条件を設定するためのパラメータ値とを問合せるための問合せ信号をパラメータ対応情報記憶部３０に出力している（ＳＴ２３）。
【００３８】
以下、ＳＴ２４からＳＴ３２までの動作は図５のＳＴ４からＳＴ１２までの動作と同じであるので、説明を省略する。
次に、図７を参照しながらパラメータ値入力時の処理方法について説明する。はじめに、周波数特性補正ステップの補正条件の設定をするための周波数特性補正ステップのパラメータ値と、誤り率測定ステップの測定条件を設定するためのパラメータ値と、波形測定ステップの測定条件を設定するためのパラメータ値とを対応付けた情報を予めパラメータ対応情報としてテーブルに記憶する（Ｓ２０１）。
次に、周波数特性補正ステップ、誤り率測定ステップまたは波形測定ステップの各ステップのうちいずれか１つのステップのパラメータ値が入力されたか否かを検出する（Ｓ２０２）。
各ステップのうちいずれか１つのステップのパラメータ値が入力されたとき、パラメータ値が入力されたステップの中でどのパラメータ値が入力されたかを特定し、当該パラメータ値を基準パラメータ値とする（Ｓ２０３）。
次に、Ｓ２０１で記憶したパラメータ対応情報を参照し、パラメータ対応情報に基づいて基準パラメータ値に対応する基準パラメータ値以外のパラメータ値を特定する（Ｓ２０４）。
次に、基準パラメータ値以外のパラメータ値、すなわちパラメータ値が入力されなかったステップのパラメータ値を基準パラメータ値に対応した値に設定する（Ｓ２０５）。
次に、誤り率測定ステップまたは波形測定ステップの各ステップのうち少なくともいずれかに測定実行の操作入力があるか否かを検出する（Ｓ２０６）。
測定実行の操作入力を検出したとき、基準とされたパラメータ値と、基準とされたパラメータ値に対応した値に設定されたパラメータ値とを用いてビット誤り率測定、波形測定の少なくともいずれかの測定を行う（Ｓ２０７）。
【００３９】
ところで、上述した形態において、操作入力部２０の構成としてタッチパネルを採用し、ユーザが指やスタイラスによって入力操作を行う例で説明したが、これに限定されることはなく、たとえば装置筐体に設けられた操作キーやテンキー等のハードキーを操作したり、表示部２１に表示されるソフトキーをマウス等のポインティングデバイスで操作する等の外部入力装置からの外部トリガに基づきパラメータ値の入力・変更を行う構成とすることもできる。
【００４０】
また、制御部１９によるパラメータ値の問合せ方法として、パラメータ値が設定された側からパラメータ値設定信号を入力したことをトリガとし、パラメータ値の問合せを行う構成として説明したが、これに限定されることはなく、制御部１９が誤り率測定制御部１７と波形測定制御部１８と周波数特性補正制御部１６の各部に対して所定周期でそれぞれパラメータ値の問合せ、問合せたパラメータ値をそれぞれの測定制御部または周波数特性補正制御部１６に出力して設定が必要なパラメータ値のみを設定する構成とすることもできる。この場合、制御部１９は、誤り率測定制御部１７と波形測定制御部１８と周波数特性補正制御部１６のいずれかが出力した問合せ信号が入力されてから被試験デバイス９０の測定が終了するまで間、各部に対して所定周期でパラメータ値の問合せと出力を行うようにすればよい。
また、入力する補助機能として内部でクロックレートを自動測定するビットレート判別部４０を付加し、このビットレート判別部４０で判別したビットレートに基づいて制御部１９がパラメータ対応情報記憶部３０に含まれるテーブル３１に問合せを行い、被試験デバイス９０から出力される被測定信号のクロックレート、すなわち被測定信号のビットレートに合わせたパラメータ値を決定して、周波数特性選択部１１、誤り率測定部１４および波形測定部１５のパラメータ値を設定するようにしてもよい。
たとえば、図２（ｂ）の「Ａｃｑｕｉｒｅ  Ｃｌｏｃｋ  Ｒａｔｅ」６８を「Ｓｅｔ」と選択したときに、被試験デバイス９０から出力される被測定信号のクロックレートをビットレート判別部４０に内蔵された図示しない既知のクロック再生手段を用いて測定し、この測定されたクロックレートを図３（ｂ）の「Ｃｌｏｃｋ  Ｒａｔｅ」６７に自動設定し、「Ｃｌｏｃｋ  Ｒａｔｅ」６７のパラメータ値に基づいて周波数特性選択部１１、誤り率測定部１４および波形測定部１５のパラメータ値を設定するようにしてもよい。
【符号の説明】
【００４１】
１…誤り率測定装置
１ａ…入力端
１０…光電変換部
１１…周波数特性選択部
１２…周波数特性補正部
１３…信号分割部
１４…誤り率測定部
１５…波形測定部
１６…周波数特性補正制御部
１７…誤り率測定制御部
１８…波形測定制御部
１９…制御部
２０…操作入力部
２１…表示部
３０…パラメータ対応情報記憶部
３１…テーブル
４０…ビットレート判別部
５０ａ、５０ｂ…フィルタ
５１ａ、５１ｂ…イコライザ
５２ａ、５２ｂ…高周波切替部
６０…Ｂｉｔ  Ｒａｔｅ
６１…Ｂｉｔｒａｔｅ  Ｓｔａｎｄａｒｄ（規格名称）
６２…Ｂｉｔｒａｔｅ
６３…Ｄａｔａ  Ｐａｔｔｅｒｎ
６４…Ｐａｔｔｅｒｎ
６５…Ｄａｔａ  Ｃｌｏｃｋ  Ｒａｔｅ
６６…Ｄａｔａ  Ｒａｔｅ
６７…Ｃｌｏｃｋ  Ｒａｔｅ
６８…Ａｃｑｕｉｒｅ  Ｃｌｏｃｋ  Ｒａｔｅ
６９…Ｐａｔｔｅｒｎ  Ｌｅｎｇｔｈ
７０…Ｌｅｎｇｔｈ
７１…Ｆｉｌｔｅｒ  Ｓｅｌｅｃｔ
７２…Ｆｉｌｔｅｒ
８０…Ｆｉｌｔｅｒ（テーブル内のパラメータ）
８１…Ｆｉｌｔｅｒ  Ｃｕｔｏｆｆ（テーブル内のパラメータ）
８２…Ｂｉｔｒａｔｅ  Ｓｔａｎｄａｒｄ（規格名称）（テーブル内のパラメータ）
８３…Ｂｉｔｒａｔｅ（テーブル内のパラメータ）
８４…Ｄａｔａ  Ｒａｔｅ（テーブル内のパラメータ）
８５…Ｃｌｏｃｋ  Ｒａｔｅ（テーブル内のパラメータ）
９０…被試験デバイス
【図１】
0005443290.tif 000002
【図２】
0005443290.tif 000003
【図３】
0005443290.tif 000004
【図４】
0005443290.tif 000005
【図５】
0005443290.tif 000006
【図６】
0005443290.tif 000007
【図７】
0005443290.tif 000008
【図８】
0005443290.tif 000009